(57)【要約】【課題】  本発明は、ＭＳＨＤ（マルチスイッチ・ハーフソース駆動方式）ディスプレイパネルの画質を改善するための方法及びそれに用いられるデバイスを開示する。【解決手段】  その方法は、最初に、極性ライン反転ソースドライバを用いるステップであって、それによって、ＭＳＨＤディスプレイパネルの複数のピクセルを駆動する、用いるステップと、その後、極性ドット反転でフレームを表示するステップとを含む。そのデバイスは、極性ライン反転ソースドライバと、ＭＳＨＤディスプレイパネルとを備え、極性ライン反転ソースドライバは、ＭＳＨＤディスプレイパネルの複数のピクセルを駆動する。ＭＳＨＤディスプレイパネルのピクセルは、極性ドット反転の形式でフレームを表示する。【選択図】  図１０
2008052244.tif 000002
【特許請求の範囲】
【請求項１】
ＭＳＨＤ（マルチスイッチ・ハーフソース駆動方式（Multi-Switch Half source Driving））ディスプレイパネルの画質を改善するためのデバイスであって、
ソースドライバと、
ＭＳＨＤディスプレイパネルと
を備え、前記ソースドライバは極性ライン反転により前記ＭＳＨＤディスプレイパネルを駆動し、該ＭＳＨＤディスプレイパネルは極性ドット反転フレームを表示する、ＭＳＨＤディスプレイパネルの画質を改善するためのデバイス。
【請求項２】
前記ＭＳＨＤディスプレイパネルは、前記ソースドライバに接続される複数のソースラインと、ゲートドライバに接続される複数のゲートラインとを備え、各ソースライン及び２つの対応するゲートラインが２つのピクセルを駆動する、請求項１に記載のＭＳＨＤディスプレイパネルの画質を改善するためのデバイス。
【請求項３】
前記複数のゲートラインのうちの第Ｍのゲートラインは、第１の薄膜トランジスタのゲート電極に接続され、前記複数のゲートラインのうちの第（Ｍ＋１）のゲートラインは第２の薄膜トランジスタのゲート電極に接続され、前記複数のソースラインのうちの第Ｎのソースラインは前記第２の薄膜トランジスタのソース電極に接続され、前記第１の薄膜トランジスタのソース電極は、前記第２の薄膜トランジスタのドレイン電極に接続される、請求項２に記載のＭＳＨＤディスプレイパネルの画質を改善するためのデバイス。
【請求項４】
前記ソースドライバの出力される極性は、同じ時間系列では同じである、請求項１に記載のＭＳＨＤディスプレイパネルの画質を改善するためのデバイス。
【請求項５】
前記ＭＳＨＤディスプレイパネルは、複数の赤色ブロックと、複数の緑色ブロックと、複数の青色ブロックとを含むカラーフィルタを備え、該複数の赤色ブロック、該複数の緑色ブロック及び該複数の青色ブロックは互いにインターレースされる、請求項１に記載のＭＳＨＤディスプレイパネルの画質を改善するためのデバイス。
【請求項６】
前記ＭＳＨＤディスプレイパネルは液晶パネルである、請求項１に記載のＭＳＨＤディスプレイパネルの画質を改善するためのデバイス。
【請求項７】
ＭＳＨＤ（マルチスイッチ・ハーフソース駆動方式）ディスプレイパネルの画質を改善するための方法であって、
極性ライン反転のソースドライバを用いるステップであって、それによって、前記ＭＳＨＤディスプレイパネルの複数のピクセルを駆動する、用いるステップと、
前記ＭＳＨＤディスプレイパネルの前記ピクセルによって極性ドット反転フレームを表示するステップと
を含む、ＭＳＨＤディスプレイパネルの画質を改善するための方法。
【請求項８】
前記ＭＳＨＤディスプレイパネルは、前記ソースドライバに接続される複数のソースラインと、ゲートドライバに接続される複数のゲートラインとを備え、各ソースライン及び２つの対応するゲートラインが２つのピクセルを駆動する、請求項７に記載のＭＳＨＤディスプレイパネルの画質を改善するための方法。
【請求項９】
Ｋライン内に配置される前記ピクセルのうちの第１のピクセルを駆動するステップと、
Ｋ＋１ライン内に配置される前記ピクセルのうちの第２のピクセルを駆動するステップと、
前記Ｋライン内に配置される前記ピクセルのうちの第３のピクセルを駆動するステップと
をさらに含み、Ｋは自然数である、請求項７に記載のＭＳＨＤディスプレイパネルの画質を改善するための方法。
【請求項１０】
前記ソースドライバの出力される極性は同じ時間系列では同じである、請求項７に記載のＭＳＨＤディスプレイパネルの画質を改善するための方法。
【請求項１１】
前記ＭＳＨＤディスプレイパネルは、複数の赤色ブロックと、複数の緑色ブロックと、複数の青色ブロックとを含むカラーフィルタを備え、該複数の赤色ブロック、該複数の緑色ブロック及び該複数の青色ブロックは互いにインターレースされる、請求項７に記載のＭＳＨＤディスプレイパネルの画質を改善するための方法。
【請求項１２】
前記ＭＳＨＤディスプレイパネルは液晶パネルである、請求項７に記載のＭＳＨＤディスプレイパネルの画質を改善するための方法。
【発明の詳細な説明】
【技術分野】
【０００１】
本発明は、画質を改善するための方法、及びそれに用いられるデバイスに関し、詳細には、ＭＳＨＤ（マルチスイッチ・ハーフソース駆動方式）ディスプレイパネルの画質を改善するための方法、及びそれに用いられるデバイスに関する。
【背景技術】
【０００２】
図１は、従来の液晶ディスプレイの回路ブロック図である。この従来の液晶ディスプレイは、ゲートドライバ１０１と、極性ドット反転ソースドライバ１０２と、従来の液晶ディスプレイパネル１０３とを備える。ゲートドライバ１０１は、薄膜トランジスタをオン及びオフに切り替えるために用いられる複数の集積回路ＧＤ１〜ＧＤｎを含む。ソースドライバ１０２は、薄膜トランジスタがオンに切り替えられるときに、液晶キャパシタにデータを出力し、そのキャパシタに電圧を供給するために用いられる複数の集積回路ＳＤ１〜ＳＤｍを含む。各ソースラインは、各水平ライン周期中に１つのピクセルデータだけを出力する。そのような従来の液晶パネルは、単一ピクセル駆動ＬＣＤパネルと呼ばれる。図２は、従来のＬＣＤパネル１０３の回路図である。図２において１つのピクセルの一例を挙げる。薄膜トランジスタＴ１がゲートラインＧ０によってオンに切り替えられるときに、ソースラインＳｎが、液晶キャパシタＣ１にデータを出力する。
【０００３】
図３は、従来のＬＣＤパネル１０３のピクセルの部分を示す分布図である。Ｒ、Ｇ及びＢはそれぞれ赤色、緑色及び青色を示す。たとえば、（１，１）、（２，１）、（３，１）、（４，１）、（１，４）、（２，４）、（３，４）、（４，４）は赤色ピクセルである。
【０００４】
それらのピクセルのためのデータ書込みステップは以下の通りである。最初に、ゲートラインＧ０が（１，１）〜（１，６）ピクセルの薄膜トランジスタをオンに切り替え、ソースラインＳ１〜Ｓ６がデータを同時に出力する。次に、ゲートラインＧ１が（２，１）〜（２，６）ピクセルの薄膜トランジスタをオンに切り替え、ソースラインＳ１〜Ｓ６がデータを同時に出力する。ゲートラインＧ２、Ｇ３、...等も同じように動作する。液晶が分極するのを防ぐために、液晶分子のための極性反転ドライバを用いる必要がある。図４Ａ〜図４Ｅは、図３のピクセル部分の極性のタイプをそれぞれ示す分布図である。
【０００５】
記号＋は、そのピクセルへ供給されるデータ電圧が共通電圧Ｖｃｏｍよりも大きく、共通電圧Ｖｃｏｍに対するデータ電圧が正であることを表す。記号−は、そのピクセルへ供給されるデータ電圧が共通電圧Ｖｃｏｍよりも小さく、共通電圧Ｖｃｏｍに対するデータ電圧が負であることを表す。図３を参照すると、図４Ａ〜図４Ｄは、フレーム反転、カラム反転、ライン反転及びドット反転の極性をそれぞれ示す分布図である。図４Ｅは、たとえば、マイクロソフトウインドウズをオフするときにフレームのちらつきが発生する状況を解決することができる２ドット反転の極性を示す図である。一般的に、従来の液晶ディスプレイの各ソースラインは、各水平ライン周期中に１つのピクセルデータだけを出力する。画質が他の駆動極性よりも良好であるので、ピクセルの駆動極性は主に、そのドット反転である。
【０００６】
図５は、従来の液晶ディスプレイのソースドライバ及びソースラインの数を削減するためのＭＳＨＤディスプレイパネルの回路図を示す。それは、各ソースラインが各水平ライン周期中に２つのピクセルデータを出力するので、パネルモジュールのソースドライバ及びソースラインの数が半減するという特徴がある。破線は、削減されるソースライン部分を表す。一方では、コスト削減を実現するために、従来のドライバＩＣを、設計変更することなく、これまで通りソース及びゲートドライバ回路として用いることができる。さらに、ＭＳＨＤディスプレイのタイミングコントローラの設計と、従来のＬＣＤのタイミングコントローラの設計との間の相違は、ゲートドライバによって制御されるメモリ制御回路及び信号発生器である。多重化の目的を果たすために、ソースラインバッファコントローラを用いて、バッファエリア内のピクセルデータが配列し直される。さらに、ゲートドライバによって制御される信号発生器は、適当に制御された信号を生成し、割り当てられたピクセルの薄膜トランジスタをオンに切り替えて、書込み過程を完了する。たとえば、ゲートラインＧ２が薄膜トランジスタＴ２をオンに切り替えるとき、ソースラインＳｎが、液晶キャパシタＣ２にデータを出力する。さらに、ゲートラインＧ１及びＧ２が薄膜トランジスタＴ２及びＴ３を同時にオンに切り替えるとき、ソースラインＳｎが、液晶キャパシタＣ３にデータを出力する。
【０００７】
図６Ａは、図５のＭＳＨＤディスプレイパネルのピクセルの部分を示す分布図である。ソースドライバ及びソースラインの数が半減するので、そのＭＳＨＤディスプレイパネルのデータ書込みステップは、単一ピクセル駆動ＬＣＤパネルとは異なる。データ書込みステップは以下の通りである。最初に、ゲートラインＧ０、Ｇ１が、（１，２）、（１，４）、（１，６）ピクセルの薄膜トランジスタをオンに切り替え、ソースラインＳ１〜Ｓ３がデータを同時に出力する。次に、ゲートラインＧ１、Ｇ２が、（２，２）、（２，４）、（２，６）の薄膜トランジスタをオンに切り替え、ソースラインＳ１〜Ｓ３がデータを同時に出力する。その後、ゲートラインＧ１が、（１，１）、（１，３）、（１，５）の薄膜トランジスタをオンに切り替え、ソースラインＳ１〜Ｓ３がデータを同時に出力する。次に、ゲートラインＧ２、Ｇ３が（３，２）、（３，４）、（３，６）の薄膜トランジスタをオンに切り替え、ソースラインＳ１〜Ｓ３がデータを同時に出力する。その後、ゲートラインＧ２が、（２，１）、（２，３）、（２，５）の薄膜トランジスタをオンに切り替え、ソースラインＳ１〜Ｓ３がデータを同時に出力する。他のゲートライン及びソースラインも全て同じように動作する。図６Ｂは、図５に示されるようなＭＳＨＤディスプレイパネルのピクセル書込み順序の部分を示す図である。ＭＳＨＤディスプレイパネルの書込み順序は、単一ピクセル駆動ＬＣＤパネルとは異なり、ＭＳＨＤディスプレイパネルの駆動極性は、図４Ａ〜図４Ｅのいずれのタイプにも属さない。全体として、パネルをオンにするとき、それは完全にドット反転にはならない。データ書込み順序が異なることを除いて、従来の液晶ディスプレイ上で用いられるソースドライバはドット反転である。すなわち、同じタイミングでは、隣接する出力の極性は逆である。
【０００８】
図７は、ドット反転ソースドライバ集積回路を示す回路ブロック図である。たとえば、同じタイミングでは、ソースラインＳ１、Ｓ３、Ｓｎ−３、Ｓｎ−１が正の極性を出力し、一方、Ｓ２、Ｓ４、Ｓｎ−２及びＳｎが負の極性を出力する。図６Ａに示される、ＭＳＨＤディスプレイパネルのデータ書込みステップの動きにさらに合わせるために、そのステップは以下のようになる。最初に、ゲートラインＧ０、Ｇ１が、（１，２）、（１，４）、（１，６）ピクセルの薄膜トランジスタをオンに切り替え、ソースラインＳ１〜Ｓ３がデータを同時に出力する。ただし、（１，２）、（１，６）は正であり、（１，４）は負である。次に、ゲートラインＧ１、Ｇ２が、（２，２）、（２，４）、（２，６）の薄膜トランジスタをオンに切り替え、ソースラインＳ１〜Ｓ３がデータを同時に出力する。ただし、（２，４）は正であり、（２，２）、（２，６）は負である。次に、ゲートラインＧ１が、（１，１）、（１，３）、（１，５）の薄膜トランジスタをオンに切り替え、ソースラインＳ１〜Ｓ３がデータを同時に出力する。ただし、（１，３）は正であり、（１，１）、（１，５）は負である。その後、ゲートラインＧ２、Ｇ３が（３，２）、（３，４）、（３，６）の薄膜トランジスタをオンに切り替え、ソースラインＳ１〜Ｓ３がデータを同時に出力する。ただし、（３，２）、（３，６）は正であり、（３，４）は負である。図８は、水平方向において１＋２ドット反転駆動極性であるドット反転ソースドライバを有するＭＳＨＤディスプレイパネルのピクセル極性の部分を示す分布図である。図９Ａ〜図９Ｃは、単色で表示される、図８に示されるようなピクセル極性の部分を示す分布図である。図９Ａ及び図９Ｂでは、フレームが赤色又は青色を表示するとき、パネルの駆動極性は水平ライン反転である。図９Ｃでは、フレームが緑色を表示するとき、パネルの駆動極性はドット反転である。ドット反転ソースドライバは、ドット反転であるべき各単色フレームをほとんど形成しないので、クロストークを引き起こす。
【発明の開示】
【課題を解決するための手段】
【０００９】
本発明において、ＭＳＨＤディスプレイパネルの画質を改善するためのデバイスであって、ソースドライバと、ＭＳＨＤディスプレイパネルとを備え、ソースドライバは極性ライン反転によりＭＳＨＤディスプレイパネルを駆動し、ＭＳＨＤディスプレイパネルは極性ドット反転フレームを表示する、ＭＳＨＤディスプレイパネルの画質を改善するためのデバイスが提供される。
【００１０】
本発明の一実施の形態によれば、ＭＳＨＤディスプレイパネルデバイスは、複数のゲートライン及び複数のソースラインを備え、複数のゲートラインのうちの第Ｍのゲートラインは、第１の薄膜トランジスタのゲート電極に接続され、複数のゲートラインのうちの第（Ｍ＋１）のゲートラインは第２の薄膜トランジスタのゲート電極に接続され、複数のソースラインのうちの第Ｎのソースラインは第２の薄膜トランジスタのソース電極に接続される。第１の薄膜トランジスタのソース電極は、その第２の薄膜トランジスタのドレイン電極に接続される。第１のトランジスタのドレイン電極は、第１のピクセルのキャパシタに接続される。第２の薄膜トランジスタのドレイン電極は、第２のピクセルのキャパシタに接続される。
【００１１】
本発明において、ＭＳＨＤディスプレイパネルの画質を改善するための方法が提供される。単色を表示すること、水平クロストークを低減すること、及び画質を改善することが達成されると同時に、その極性ドット反転分布を達成することができる。
【００１２】
本発明において、ＭＳＨＤディスプレイパネルの画質を改善するための方法が提供される。単色を表示しながら、極性ライン反転分布を避けることができ、それにより、水平クロストークを低減し、画質を改善するという利点を達成することができる。
【００１３】
本発明において、ＭＳＨＤディスプレイパネルの画質を改善するための方法が提供され、その方法は、ソースドライバを用いるステップであって、それによって、極性ライン反転により、ＭＳＨＤディスプレイパネルの複数のピクセルを駆動する、用いるステップと、ＭＳＨＤディスプレイパネルが極性ドット反転フレームを表示するステップとを含む。
【００１４】
本発明の一実施の形態によれば、上述したＭＳＨＤディスプレイパネルは、ソースドライバに接続される複数のソースラインと、ゲートドライバに接続される複数のゲートラインとを備える。各ソースライン及び２つの対応するゲートラインが２つのピクセルを駆動する。
【００１５】
本発明の一実施の形態によれば、ＭＳＨＤディスプレイパネル上に極性ドット反転のフレームを表示するための方法は、最初に、Ｋライン内に配置される複数のピクセルのうちの第１のピクセルを駆動するステップと、次に、Ｋ＋１ライン内に配置されるピクセルのうちの第２のピクセルを駆動するステップと、次に、Ｋライン内に配置されるピクセルのうちの第３のピクセルを駆動するステップとを含み、Ｋは自然数である。
【００１６】
本発明の一実施の形態による、ＭＳＨＤディスプレイパネルの画質を改善するためのデバイスでは、同じ時間系列において、ソースドライバの出力される極性は同じである。
【００１７】
本発明において、ＭＳＨＤディスプレイパネルは、複数の赤色ブロックと、複数の緑色ブロックと、複数の青色ブロックとを含むカラーフィルタを備え、当該複数の赤色ブロック、当該複数の緑色ブロック及び当該複数の青色ブロックは互いにインターレースされる。
【００１８】
本発明では、極性ライン反転ソースドライバを用いるＭＳＨＤディスプレイパネルが適用される。それゆえ、水平クロストークを低減し、且つ画質を改善するために、極性ドット反転分布のフレームが表示される。
【００１９】
上記の包括的な説明及び以下の詳細な説明はいずれも例示であり、特許請求されるような本発明にさらなる説明を提供することを意図していることは理解されたい。
【発明を実施するための最良の形態】
【００２０】
添付の図面は、本発明をさらに深く理解するために含まれており、本明細書の一部において援用され、且つ本明細書の一部を構成する。図面は本発明の実施形態を例示しており、その説明とともに、本発明の原理を説明するための役割を果たす。
【００２１】
ここで、本発明の現時点で好ましい実施形態が詳細に参照されることになり、その例が添付の図面に示される。可能な限り、図面においては同じ参照符号が用いられており、その記述は同じ、又は類似の部品を指している。
【００２２】
本発明の一実施形態によれば、図１０に示されるように、ＭＳＨＤディスプレイパネルの画質を改善するためのデバイスが提供される。そのデバイスは、極性ライン反転ソースドライバ１００２と、ゲートドライバ１００１と、ＭＳＨＤディスプレイパネル１００３とを備える。極性ライン反転ソースドライバ１００２は、極性ライン反転によって、ＭＳＨＤディスプレイパネル１００３の複数のピクセルを駆動する。ＭＳＨＤディスプレイパネル１００３は、極性ドット反転分布のフレームを表示する。図１１は、本発明の一実施形態による、極性ライン反転ソースドライバ１００２と、対応するソースラインＳ１〜Ｓｎとを示す回路ブロック図である。極性ライン反転ソースドライバの各出力極性は、同じ時間系列においては同じである。すなわち、ソースラインＳ１、Ｓ２〜Ｓｎ−１及びＳｎの出力極性は同じであり、その時間系列に基づいて積分され、変更されることができる。それゆえ、極性ライン反転ソースドライバを用いるＭＳＨＤディスプレイパネル１００３は結果として、極性ドット反転になるであろう。
【００２３】
ＭＳＨＤディスプレイパネル１００３は、図５の構造を与えられる。ゲートラインＧ１はトランジスタＴ３のゲートに接続される。ゲートラインＧ２はトランジスタＴ２のゲートに接続される。ソースラインＳｎはトランジスタＴ２のソースに接続される。トランジスタＴ３のドレインは、ピクセルキャパシタＣ３に接続される。さらに、トランジスタＴ３のソースは、トランジスタＴ２のドレインに接続され、そのドレインはピクセルキャパシタＣ２に接続される。ＭＳＨＤディスプレイパネル１００３は、図６Ｂの駆動順序を含む。Ｋが自然数であるとすると、Ｋライン内に配置されるピクセルのうちの第１のピクセル（図６Ｂの順序１）が最初に駆動され、Ｋ＋１ライン内に配置されるピクセルのうちの第２のピクセル（順序２）が二番目に駆動され、その後、Ｋライン内に配置されるピクセルのうちの第３のピクセル（順序３）が三番目に駆動され、４〜９の残りの順序も同じように駆動される。
【００２４】
図１２は、本発明の一実施形態のＭＳＨＤディスプレイパネルのピクセルの部分を示す極性図である。ピクセルの位置を規定するために、図６Ａを用いることができる。Ｒは赤色を表し、Ｇは緑色を表し、Ｂは青色を表す。ＭＳＨＤディスプレイパネル１００３は、複数の赤色ブロック、複数の緑色ブロック及び複数の青色ブロックを有するカラーフィルタ（図には示されない）を含み、それらの赤色ブロック、緑色ブロック及び青色ブロックがインターレースされて配置され、導入される。図６Ａ及び図１２を参照すると、それらのピクセルのデータ書込みステップは以下の通りである。最初に、ゲートラインＧ０、Ｇ１が（１，２）、（１，４）、（１，６）ピクセルの薄膜トランジスタをオンに切り替え、ソースラインＳ１〜Ｓ３がデータを同時に出力する。ただし、（１，２）、（１，４）、（１，６）は全て正の極性である。次に、ゲートラインＧ１、Ｇ２が（２，２）、（２，４）、（２，６）ピクセルの薄膜トランジスタをオンに切り替え、ソースラインＳ１〜Ｓ３がデータを同時に出力する。ただし、（２，２）、（２，４）、（２，６）は全て負の極性である。次に、ゲートラインＧ１が（１，１）、（１，３）、（１，５）ピクセルの薄膜トランジスタをオンに切り替え、ソースラインＳ１〜Ｓ３がデータを同時に出力する。ただし、（１，１）、（１，３）、（１，５）は全て負の極性である。その後、ゲートラインＧ２及びＧ３が（３，２）、（３，４）、（３，６）ピクセルの薄膜トランジスタをオンに切り替え、ソースラインＳ１〜Ｓ３がデータを同時に出力する。ただし、（３，２）、（３，４）、（３，６）は全て正の極性である。その後、ゲートラインＧ２が（２，１）、（２，３）、（２，５）ピクセルの薄膜トランジスタをオンに切り替え、ソースラインＳ１〜Ｓ３がデータを同時に出力する。ただし、（２，１）、（２，３）、（２，５）は全て正の極性である。
【００２５】
図１２に示されるように、ＭＳＨＤディスプレイパネルにおいて極性ライン反転ソースドライバが用いられるが、画質を改善するために、極性ドット反転表示フレームを達成することができる。図１３Ａ〜図１３Ｃは、図１２に示されるように単色を表示することによる、ピクセル極性の部分を示す分布図である。したがって、全色であるか、単色であるかを問わず、極性ドット反転の表示フレームが達成される。
【００２６】
本発明の好ましい実施形態の駆動方法は、各ライン間でインターレースされて駆動される任意のＭＳＨＤディスプレイパネルの場合に採用される。さらに、当業者には既知であるように、上記の実施形態のＭＳＨＤディスプレイパネルの回路構成には限定されず、別の回路構成を採用することもできる。
【００２７】
本発明では、極性ライン反転ソースドライバを用いて、ＭＳＨＤディスプレイパネルを駆動することが適用される。それゆえ、水平クロストークを低減するために、且つ画質を改善するために、その極性ドット反転フレームを表示することを達成することができる。
【００２８】
本発明の範囲又は精神から逸脱することなく、本発明の構造に対して種々の変更及び変形を行うことができることは当業者には明らかであろう。上記のことを鑑みて、添付の特許請求の範囲及びそれらの均等物の範囲内に入ることを条件として、本発明が本発明の変更及び変形を包含することが意図されている。
【図面の簡単な説明】
【００２９】
【図１】従来の液晶ディスプレイを示す回路ブロック図である。
【図２】従来の液晶ディスプレイパネル１０３の回路図である。
【図３】液晶パネル１０３のピクセル位置の部分を示す分布図である。
【図４Ａ】図３のピクセル部分の極性を示す分布図である。
【図４Ｂ】図３のピクセル部分の別の極性を示す分布図である。
【図４Ｃ】図３のピクセル部分のさらに別の極性を示す分布図である。
【図４Ｄ】図３のピクセル部分のさらに別の極性を示す分布図である。
【図４Ｅ】図３のピクセル部分のさらに別の極性を示す分布図である。
【図５】ＭＳＨＤディスプレイパネルを示す回路図である。
【図６Ａ】図５のＭＳＨＤディスプレイパネルのピクセル位置の部分を示す分布図である。
【図６Ｂ】図５のＭＳＨＤディスプレイパネルのピクセル書込み順序の部分を示す図である。
【図７】極性ドット反転ソースドライバ回路を示す回路ブロック図である。
【図８】極性ドット反転ソースドライバを用いるＭＳＨＤディスプレイパネルのピクセルの部分の極性を示す分布図である。
【図９Ａ】図８において単色で表示されるピクセル極性の部分を示す分布図である。
【図９Ｂ】図８において単色で表示されるピクセル部分の別の極性を示す分布図である。
【図９Ｃ】図８において単色で表示されるピクセル部分のさらに別の極性を示す分布図である。
【図１０】本発明の一実施形態による、ＭＳＨＤディスプレイパネルの画質を改善するためのデバイスを示す図である。
【図１１】極性ライン反転ソースドライバ１００２を示す回路ブロック図である。
【図１２】本発明の一実施形態におけるＭＳＨＤディスプレイパネルのピクセルの部分を示す極性図である。
【図１３Ａ】図１２において単色で表示されるピクセル極性の部分を示す分布図である。
【図１３Ｂ】図１２において単色で表示されるピクセル極性の部分を示す分布図である。
【図１３Ｃ】図１２において単色で表示されるピクセル部分のさらに別の極性を示す分布図である。
【図１】
2008052244.tif 000003
【図２】
2008052244.tif 000004
【図３】
2008052244.tif 000005
【図４Ａ】
2008052244.tif 000006
【図４Ｂ】
2008052244.tif 000007
【図４Ｃ】
2008052244.tif 000008
【図４Ｄ】
2008052244.tif 000009
【図４Ｅ】
2008052244.tif 000010
【図５】
2008052244.tif 000011
【図６Ａ】
2008052244.tif 000012
【図６Ｂ】
2008052244.tif 000013
【図７】
2008052244.tif 000014
【図８】
2008052244.tif 000015
【図９Ａ】
2008052244.tif 000016
【図９Ｂ】
2008052244.tif 000017
【図９Ｃ】
2008052244.tif 000018
【図１０】
2008052244.tif 000019
【図１１】
2008052244.tif 000020
【図１２】
2008052244.tif 000021
【図１３Ａ】
2008052244.tif 000022
【図１３Ｂ】
2008052244.tif 000023
【図１３Ｃ】
2008052244.tif 000024